(57)【要約】【課題】光配線用パネル内で、複数本の光ファイバコードを配線作業性及びメンテナンス性良く配線することが可能な光配線用パネル内の配線方法を提供する。【解決手段】複数本の光ファイバコード１を光配線用パネル１１の奥側からアダプタパネル３４に向けて案内し、アダプタパネル３４の左右方向中央の近傍で光配線用パネル１１の奥側に向けて湾曲させて案内するとともに、複数本の光ファイバコード１を左右２つの群２ａ，２ｂに分岐させて、右の群２ａを光配線用パネル１１内の右側に案内し、左の群２ｂを光配線用パネル１１内の左側に案内し、右の群２ａの光ファイバコード１を蛇行させて右の群２ａのコネクタ５をアダプタパネル３４の左側のアダプタ３５に接続し、左の群２ｂの光ファイバコード１を蛇行させて左の群２ｂのコネクタ５をアダプタパネル３４の右側のアダプタ３５に接続する。【選択図】図３
2011221209.tif 000002
【特許請求の範囲】
【請求項１】
光ファイバコードのコネクタが接続されるアダプタを左右に複数配列したアダプタパネルを前方に備えた光配線用のパネル内に、複数本の光ファイバコードを配線する方法であって、
複数本の前記光ファイバコードを前記パネルの奥側から前記アダプタパネルに向けて案内し、前記アダプタパネルの左右方向中央の近傍で前記パネルの奥側に向けて湾曲させて案内するとともに、複数本の前記光ファイバコードを左右２つの群に分岐させて、右の群を前記パネル内の右側に案内し、左の群を前記パネル内の左側に案内し、前記右の群の光ファイバコードを蛇行させて前記右の群のコネクタを前記アダプタパネルの左側のアダプタに接続し、前記左の群の光ファイバコードを蛇行させて前記左の群のコネクタを前記アダプタパネルの右側のアダプタに接続することを特徴とする光配線用パネル内の配線方法。
【請求項２】
請求項１に記載の光配線用パネル内の配線方法であって、
前記光ファイバコードは、複数本の光ファイバが一体に束ねられた束ね部と、束ね部から単心に分岐させる分岐部と、単心に分岐されて端部にコネクタを有する複数の単心部とを有するファンアウトコードの形態をなし、前記単心部のそれぞれの光ファイバコードのコネクタを前記アダプタパネルのアダプタに接続することを特徴とする光配線用パネル内の配線方法。
【請求項３】
請求項２に記載の光配線用パネル内の配線方法であって、
複数本の前記光ファイバコードを、前記束ね部の箇所で左右２つの群に分岐させて、それぞれの群において前記分岐部を、左右それぞれの箇所で前記パネル内の分岐部固定部品に１列ずつ固定することを特徴とする光配線用パネル内の配線方法。
【請求項４】
請求項１から３の何れか一項に記載の光配線用パネル内の配線方法であって、
前記右の群と前記左の群を、前記パネル内で前記アダプタパネルに対して左右対称に配置されたコード固定部品に固定することを特徴とする光配線用パネル内の配線方法。
【請求項５】
請求項１から４の何れか一項に記載の光配線用パネル内の配線方法であって、
融着トレイを、複数本の前記光ファイバコードを左右２つの群に分岐させた箇所の上方に重なる位置に設置して、
前記光ファイバコードと、前記パネルの奥側から前記パネル内に導入した導入側光ファイバとを融着接続し、その融着部を前記融着トレイ内に収容することを特徴とする光配線用パネル内の配線方法。
【発明の詳細な説明】
【技術分野】
【０００１】
本発明は、光配線用のパネル内で複数本の光ファイバコードを配線する光配線用パネル内の配線方法に関する。
【背景技術】
【０００２】
屋内外において光ファイバケーブルの接続や分岐を行うための光成端架では、複数本の光ファイバコードが配線される光配線用パネルがラックに積層されて収容されている。このような光配線用パネルは、ラックに対して前方にスライドさせて引き出し可能とされている。光配線用パネルの内部では、例えば、融着トレイで融着された光ファイバコードが、パネル前方側に複数設けられたアダプタに接続されるようになっている。融着トレイからアダプタまでの間のスペースには、余長収納部が設けられ、余長収納部では、光ファイバコードを円周状に周回させて巻き付けられて収納される（例えば、特許文献１〜３参照）。
【先行技術文献】
【特許文献】
【０００３】
【特許文献１】特開２００５−１４８３２７号公報
【特許文献２】特開２００３−３２９８４５号公報
【特許文献３】特開２００８−６４９１２号公報
【発明の概要】
【発明が解決しようとする課題】
【０００４】
多数本の光ファイバコードの余長を、円周状に周回させて巻き付けると、同じ円周部分で配線ラインが重複する。すると、光ファイバコード同士が上下左右に重なったり、絡まったりするため、これらの光ファイバコードの判別が難しくなってしまう。
また、配線作業やメンテナンス作業のために、任意の光ファイバコードを取り出す場合、他の光ファイバコードも一緒に巻き付け箇所から外さなければならず、作業性、メンテナンス性が良くなかった。
【０００５】
本発明の目的は、光配線用パネル内で、複数本の光ファイバコードを配線作業性及びメンテナンス性良く配線することが可能な光配線用パネル内の配線方法を提供することにある。
【課題を解決するための手段】
【０００６】
上記課題を解決することのできる本発明の光配線用パネル内の配線方法は、光ファイバコードのコネクタが接続されるアダプタを左右に複数配列したアダプタパネルを前方に備えた光配線用のパネル内に、複数本の光ファイバコードを配線する方法であって、
複数本の前記光ファイバコードを前記パネルの奥側から前記アダプタパネルに向けて案内し、前記アダプタパネルの左右方向中央の近傍で前記パネルの奥側に向けて湾曲させて案内するとともに、複数本の前記光ファイバコードを左右２つの群に分岐させて、右の群を前記パネル内の右側に案内し、左の群を前記パネル内の左側に案内し、前記右の群の光ファイバコードを蛇行させて前記右の群のコネクタを前記アダプタパネルの左側のアダプタに接続し、前記左の群の光ファイバコードを蛇行させて前記左の群のコネクタを前記アダプタパネルの右側のアダプタに接続することを特徴とする。
【０００７】
また、本発明の光配線用パネル内の配線方法において、前記光ファイバコードは、複数本の光ファイバが一体に束ねられた束ね部と、束ね部から単心に分岐させる分岐部と、単心に分岐されて端部にコネクタを有する複数の単心部とを有するファンアウトコードの形態をなし、前記単心部のそれぞれの光ファイバコードのコネクタを前記アダプタパネルのアダプタに接続することが好ましい。
【０００８】
また、本発明の光配線用パネル内の配線方法において、複数本の前記光ファイバコードを、前記束ね部の箇所で左右２つの群に分岐させて、それぞれの群において前記分岐部を、左右それぞれの箇所で前記パネル内の分岐部固定部品に１列ずつ固定することが好ましい。
【０００９】
また、本発明の光配線用パネル内の配線方法において、前記右の群と前記左の群を、前記パネル内で前記アダプタパネルに対して左右対称に配置されたコード固定部品に固定することが好ましい。
【００１０】
また、本発明の光配線用パネル内の配線方法において、融着トレイを、複数本の前記光ファイバコードを左右２つの群に分岐させた箇所の上方に重なる位置に設置して、
前記光ファイバコードと、前記パネルの奥側から前記パネル内に導入した前記導入側光ファイバとを融着接続し、その融着部を前記融着トレイ内に収容することが好ましい。
【発明の効果】
【００１１】
本発明の光配線用パネル内の配線方法によれば、光ファイバコードを周回させて巻き付けることをせず、蛇行させて配線するので、光ファイバコードの配線ラインが交差することはあっても同一方向に重複することがない。そのため、光ファイバコードの判別の容易化を図ることができる。また、光ファイバコード同士の絡まりを防止することができ、個別の光ファイバコードを容易に取り出すことができる。さらに、光ファイバコードを左右の群に分けてそれぞれ別の配線ラインで配線するので、視覚的に左右に分けて判別しやすくなり、さらに、配線ラインの光ファイバコードの数が半減し、光ファイバコードの判別や取り出しのさらなる容易化を図ることができる。つまり、光配線用パネル内で、複数本の光ファイバコードを、配線作業性及びメンテナンス性良く配線することができる。
【図面の簡単な説明】
【００１２】
【図１】光ファイバコードが配線される光配線用パネルの一例を示す正面、上面及び背面からの三面図である。
【図２】本発明の配線方法によって光ファイバコードが配線された光配線用パネルの一例を示す平面図である。
【図３】融着トレイを上方へ回動させた状態における光ファイバコードが配線された光配線用パネルの一例を示す平面図である。
【発明を実施するための形態】
【００１３】
以下、本発明に係る光配線用パネル内の配線方法の実施の形態の例を、図面を参照して説明する。
図１に示すように、光配線用パネル１１は、例えば、アルミ板材等より形成され、例えば、ラック（図示省略）に積層状態に配列されて収容される。
【００１４】
この光配線用パネル１１は、ラックに固定された支持トレイ２１に保持されている。支持トレイ２１は、底板２２と、この底板２２の左右両側部に立設された側板２３とを有している。この支持トレイ２１の側板２３には、側方へ突出するブラケット２４が設けられており、支持トレイ２１をラックに収容した状態において、ブラケット２４をラックの支柱（図示省略）等に固定することにより、支持トレイ２１がラックに固定される。また、この支持トレイ２１には、その後方側に、ケーブル導入部２５が設けられている。なお、この支持トレイ２１の奥側には、底板２２から立設された後壁２６が設けられている。
【００１５】
光配線用パネル１１は、パネル底板３１を有しており、このパネル底板３１の左右両側には、側板３２が立設されている。そして、この光配線用パネル１１は、支持トレイ２１内に配置され、この支持トレイ２１に対して前後方向へスライド可能とされている。
また、この光配線用パネル１１には、前方側に、幅方向へわたって配置されたアダプタパネル３４が立設されている。このアダプタパネル３４には、上下２段に配置された複数のアダプタ３５が幅方向へ配列されて支持されている。
【００１６】
また、光配線用パネル１１には、アダプタパネル３４よりも後方側である奥側に、融着トレイ３６が配置されている。この融着トレイ３６は、奥側がパネル底板３１に対して回動可能に連結されている。この融着トレイ３６は、硬質樹脂から形成されたものであり、トレイ本体３６ａの上部にカバー３６ｂが装着されている。このカバー３６ｂは、トレイ本体３６ａに対して、その奥側において回動可能に連結されている。このカバー３６ｂの前方側を上方へ引き上げることにより、トレイ本体３６ａが開放される。この融着トレイ３６は、パネル底板３１との間に隙間をあけて配置されており、このパネル底板３１と融着トレイ３６との隙間が、光ファイバコードの配線スペースとされている。なお、この融着トレイ３６には、光信号を分岐する光スプリッタが収容されていても良い。
【００１７】
光配線用パネル１１のパネル底板３１には、左右対称位置である幅方向の両側部近傍位置及び左右中央位置に、コード固定部品４１が設けられている。また、光配線用パネル１１のパネル底板３１には、左右対称位置である融着トレイ３６の両側部近傍位置に、それぞれ分岐部固定部品４２が設けられている。
【００１８】
図２に示すように、光配線用パネル１１の内部には、複数本（例えば１２本）の光ファイバコード１が配線される。この光ファイバコード１は、例えば、複数本の光ファイバが一体に束ねられた構造を有する束ね部２と、束ね部２から単心に分岐させる分岐部３と、この分岐部３から先の単心部４とを有するファンアウトコードの形態とされている。束ね部２は、例えば、４心テープ心線がさらに樹脂被覆で覆われたものである。単心部４とされた光ファイバコード１の先端部に、コネクタ５が接続されている。それぞれの光ファイバコード１の先端部のコネクタ５は、光配線用パネル１１のアダプタパネル３４に支持されたアダプタ３５に接続される。また、光ファイバコード１は、その他端部（束ね部２の端部）が融着トレイ３６内へ、その右側から導かれる。
【００１９】
また、光配線用パネル１１の奥側には、光ファイバコード１とは別の導入側光ファイバ６が配線される。この導入側光ファイバ６は、例えば、４心テープ心線を数本ずつまとめてチューブ内に収めたものが複数本、結束材７によって束ねられている。この導入側光ファイバ６は、支持トレイ２１の後方側において、ケーブル導入部２５から導入されているケーブルに内蔵されていたものを、支持トレイ２１内部で分離したものである。これらの導入側光ファイバ６は、それぞれの端部が融着トレイ３６へ、その左側から導かれ、融着トレイ３６内において、光ファイバコード１の光ファイバと融着されて光接続される。なお、導入側光ファイバ６を内蔵するケーブルは、ケーブル導入部２５に設けられた締結部２５ａに固定されており、抗張力線６ａを有している場合には、抗張力線６ａも締結部２５ａに固定されている。
【００２０】
次に、上記の光配線用パネル１１へ光ファイバコード１を配線する方法について、図３を参照して説明する。
図３に示すように、光ファイバコード１は、光配線用パネル１１の奥側から光配線用パネル１１内に導入した導入側光ファイバ６と融着接続し、その融着部を融着トレイ３６内に収容する。なお、光配線用パネル１１は、支持トレイ２１に対してスライドされるので、導入側光ファイバ６は、支持トレイ２１に対する光配線用パネル１１のスライドを円滑に行うことができるように、十分な長さを確保する。
【００２１】
上記のように、導入側光ファイバ６と光ファイバコード１とを融着接続したら、融着トレイ３６から光配線用パネル１１の右側へ引き出されている複数本の光ファイバコード１を光配線用パネル１１内に配線する。
なお、融着トレイ３６は、その下方側の配線スペースへ光ファイバコード１を配線するため、パネル底板３１に対して上方へ回動させて持ち上げておく。
【００２２】
図３に示すように、融着トレイ３６から光配線用パネル１１の右側へ引き出されている複数本の光ファイバコード１の束ね部２の部分を、まず、光配線用パネル１１の奥側から前方側のアダプタパネル３４に向けて案内する（図３中Ａ部参照）。このとき、この光ファイバコード１の束ね部２を、パネル底板３１の右側部近傍位置に配置されたコード固定部品４１に係合させて保持させる。
【００２３】
次に、この複数本の光ファイバコード１を、アダプタパネル３４の左右方向中央の近傍で光配線用パネル１１の奥側に向けて湾曲させて案内するとともに複数本の光ファイバコード１の束ね部２を左右２つの群２ａ，２ｂに分岐させる（図３中Ｂ部参照）。このとき、この光ファイバコード１の束ね部２の分岐部分を、パネル底板３１の幅方向中央位置に配置されたコード固定部品４１に係合させて保持させる。
【００２４】
さらに、右の群２ａを、光配線用パネル１１内の右側に案内し、左の群２ｂを光配線用パネル１１内の左側に案内する（図３中Ｃ１，Ｃ２部参照）。このとき、それぞれの群２ａ，２ｂにおいて単心部４となる分岐部３を、融着トレイ３６の両側部近傍位置に配置された分岐部固定部品４２に１列ずつ固定する。
【００２５】
その後、右の群２ａの光ファイバコード１を、互いに巻き付けることなくＳ字状に蛇行させて先端のコネクタ５をアダプタパネル３４の左側に支持されたアダプタ３５に接続する。具体的には、右の群２ａを、光配線用パネル１１の右側近傍で前方側へ湾曲させ（図３中Ｄ１部参照）、さらに、光配線用パネル１１の奥側へ湾曲させ（図３中Ｅ１部参照）、その後、単心にばらけさせながら光配線用パネル１１の奥側から光配線用パネル１１の前方側のアダプタパネル３４へ向かって導き（図３中Ｆ１部参照）、それぞれのコネクタ５を左側に配列されたアダプタ３５に接続する。このとき、光配線用パネル１１の右側近傍で前方側へ湾曲させた群２ａを、パネル底板３１の右側部近傍位置に配置されたコード固定部品４１に係合させて保持させる。また、蛇行させて配線する配線箇所は、光ファイバコード１をコードクランパ４３によってパネル底板３１へ適宜固定する。
【００２６】
右の群２ａと同様に左の群２ｂの光ファイバコード１を、互いに巻き付けることなくＳ字状に蛇行させて先端のコネクタ５をアダプタパネル３４の右側に支持されたアダプタ３５に接続する。具体的には、左の群２ｂを、光配線用パネル１１の左側近傍で前方側へ湾曲させ（図３中Ｄ２部参照）、さらに、光配線用パネル１１の奥側へ湾曲させ（図３中Ｅ２部参照）、その後、単心にばらけさせながら光配線用パネル１１の奥側から光配線用パネル１１の前方側のアダプタパネル３４へ向かって導き（図３中Ｆ２部参照）、それぞれのコネクタ５を右側に配列されたアダプタ３５に接続する。このとき、光配線用パネル１１の左側近傍で前方側へ湾曲させた群２ｂを、パネル底板３１の左側部近傍位置に配置されたコード固定部品４１に係合させて保持させる。また、蛇行させて配線する配線箇所は、光ファイバコード１をコードクランパ４３によってパネル底板３１へ適宜固定する。
【００２７】
上記のようにして、光ファイバコード１を配線したら、融着トレイ３６を下方に回動させてパネル底板３１に沿うように配置させる。これにより、融着トレイ３６を、複数本の光ファイバコード１を左右２つの群２ａ，２ｂに分岐させた箇所の上方に重なる位置に設置する。このように、光配線用パネル１１内の左右方向中央の光ファイバコード１の蛇行配線箇所に重なるように融着トレイ３６を設置すれば、光配線用パネル１１内の平面方向の大きさを小型化することができる。また、光ファイバコード１を左右の群２ａ，２ｂに分けたことにより、アダプタパネル３４へ導かれる光ファイバコード１の単心部４は、融着トレイ３６が配置された中央部分を避けてアダプタパネル３４へ導かれることとなる。これにより、融着トレイ３６の中央部における前方側には、アダプタパネル３４へ導かれる単心部４のない空間部（図２中Ｓ部参照）が形成される。したがって、融着トレイ３６のカバー３６ｂの前方側を上方へ引き上げてトレイ本体３６ａを開いたり、融着トレイ３６を上方へ回動させる際に、光ファイバコード１に指が引っ掛かるような不具合をなくすことができる。
【００２８】
上記実施形態に係る光配線用パネル内の配線方法によれば、光ファイバコード１を周回させて巻き付けることをせず、蛇行させて配線するので、光ファイバコード１の配線ラインが交差することはあっても同一方向に重複することがなく、よって、光ファイバコード１の判別の容易化を図ることができる。また、光ファイバコード１同士の絡まりを防止することができ、個別の光ファイバコード１を容易に取り出すことができる。さらに、光ファイバコード１を左右の群２ａ，２ｂに分けてそれぞれ別の配線ラインで配線するので、視覚的に左右に分けて判別しやすくなり、さらに、配線ラインの光ファイバコード１の数が半減し、光ファイバコード１の判別や取り出しのさらなる容易化を図ることができる。
【００２９】
特に、ファンアウトコードの形態では、単心部４で多数本の光ファイバコード１に分岐されているため、光ファイバコード１を周回させて巻き付ける配線方法では特に絡まりやすいなどの問題が生じやすかったが、上記の実施形態の配線方法によって、ファンアウトコードの形態であっても光ファイバコード１の判別や取り出しの容易化を図ることができる。また、複数本の光ファイバコード１を、束ね部２の箇所で左右２つの群２ａ，２ｂに分岐させて、それぞれの群２ａ，２ｂにおいて単心部４に分岐する分岐部３を左右それぞれの箇所で光配線用パネル１１内の分岐部固定部品４２に１列ずつ固定するので、ファンアウトコードにおける光ファイバコード１の識別性と配線作業性を向上させることができる。
【００３０】
一つの光配線用パネル１１内に実装するファンアウトコード形態の光ファイバコード１としては、コネクタ５が付いた単心部４のコード長が全て同等のものを使用するのが一般的である。このため、この光ファイバコード１を光配線用パネル１１内に配線する場合、アダプタパネル３４のアダプタ３５の位置の違い等による単心部４での配線長のばらつきを配線経路内で吸収する必要がある。
【００３１】
従来では、単心部４を周回させて巻き付けることにより配線長のばらつきを吸収しているため、単心部４をまとめて巻き付けて配線すると、配線済みの単心部４に、別の単心部４が重なり、単心部４の線番識別を行って１本ずつ個別配線することが困難となる。これに対して、本実施形態では、光ファイバコード１の単心部４が重なることなく配線されるので、１本ずつ容易に個別配線することができる。
【００３２】
また、狭いスペースで光ファイバコード１を巻き付け配線して収納しようとすると、光ファイバコード１の曲げ癖によるコードの跳ね上がり等により作業性が悪化するが、本実施形態のように、Ｓ字状に蛇行させて配線する方法では、曲げ癖を気にせず容易に配線することができ、配線作業性を大幅に向上させることができる。
【００３３】
さらに、巻き付け配線であると、例えば、配線メンテナンスを行う際に、一旦、巻き付けて収容した光ファイバコード１の全てを取り出さなければメンテナンス対象の光ファイバコード１を取り出すことができないが、本実施形態によれば、Ｓ字状に蛇行させて配線するので、配線メンテナンスを行う際に、メンテナンス対象の光ファイバコード１のみを容易に取り出すことができ、これにより、配線メンテナンス作業の容易化を図ることができる。
【００３４】
また、右の群２ａと左の群２ｂを、光配線用パネル１１内でアダプタパネル３４に対して左右対称に配置されたコード固定部品４１に固定するので、光ファイバコード１の配線長さを左右の群２ａ，２ｂで揃えることができ、任意の光ファイバコード１が左右どちらの群２ａ，２ｂに分岐されても長さを揃え易くすることができる。さらには、支持トレイ２１へのケーブル導入位置を左右どちらとする場合でも、ケーブル導入部２５の位置を変更するのみで済み、光配線用パネル１１の構造を変更する必要がなく、共通に使用することが可能となる。
【符号の説明】
【００３５】
１：光ファイバコード、２：束ね部、２ａ，２ｂ：群、３：分岐部、４：単心部、５：コネクタ、６：導入側光ファイバ、１１：光配線用パネル、３４：アダプタパネル、３５：アダプタ、３６：融着トレイ、４１：コード固定部品、４２：分岐部固定部品
【図１】
2011221209.tif 000003
【図２】
2011221209.tif 000004
【図３】
2011221209.tif 000005